【手続補正書】
【提出日】平成15年9月24日(2003.9.24)
【手続補正１】
【補正対象書類名】明細書
【補正対象項目名】特許請求の範囲
【補正方法】変更
【補正の内容】
【特許請求の範囲】
【請求項１】
分光増感された平均アスペクト比８以上１００以下の平板状ハロゲン化銀粒子を含むハロゲン化銀乳剤であって、該ハロゲン化銀粒子表面の単位面積あたりの増感色素による光吸収強度が１００以上であることを特徴とするハロゲン化銀写真乳剤。
ここで単位表面積あたりの増感色素による光吸収強度とは、粒子の単位表面積に入射する光量をＩ0、該表面で増感色素に吸収された光量をＩとしたときの光学濃度Ｌｏｇ（Ｉ0／（Ｉ0−Ｉ））を波数（ｃｍ-1）に対して積分した値と定義し、積分範囲は５０００ｃｍ-1から３５０００ｃｍ-1までである。
【請求項２】
分光吸収極大波長が５００ｎｍ以下で分光増感された平均アスペクト比８以上１００以下の平板状ハロゲン化銀粒子を含むハロゲン化銀乳剤であって、該ハロゲン化銀粒子表面の単位面積あたりの増感色素による光吸収強度が６０以上１００未満であることを特徴とするハロゲン化銀写真乳剤。
ここで単位表面積あたりの増感色素による光吸収強度とは、請求項１記載の単位表面積あたりの増感色素による光吸収強度と同意である。
【請求項３】
前記ハロゲン化銀乳剤が、核形成工程及び／又は成長工程を行う反応容器の外に混合容器を設け、混合容器に水溶性銀塩の水溶液と水溶性ハロゲン塩の水溶液を供給して混合し、ハロゲン化銀微粒子を形成し、直ちに該微粒子を該反応容器に供給し、該反応容器中でハロゲン化銀粒子の核形成及び／又は成長を行わせることによって調製された平板状粒子乳剤であることを特徴とする請求項１または２記載のハロゲン化銀写真乳剤。
【請求項４】
該混合容器が攪拌対象の該添加液を流入させる所定数の供給口と、攪拌処理を終えて生成したハロゲン化銀微粒子乳剤を排出する排出口とを備えた密閉型攪拌層と、該攪拌槽内で該攪拌槽壁を貫通する回転軸を持たない少なくとも一つの攪拌羽根が回転駆動されることで該攪拌槽内の液体の攪拌状態を制御する攪拌手段とを備えてなることを特徴とする請求項３記載のハロゲン化銀写真乳剤。
【請求項５】
前記ハロゲン化銀写真乳剤がゼラチン中のアミノ基（−ＮＨ2基）を化学修飾した際に新たにカルボキシル基（−ＣＯＯＨ基）が少なくとも１個以上導入されたゼラチンの存在下で調製されたハロゲン化銀乳剤であることを特徴とする請求項１〜４のいずれかに記載のハロゲン化銀写真乳剤。
【請求項６】
前記ハロゲン化銀写真乳剤が、（ａ）分散媒溶液中で双晶粒子核を含んだハロゲン化銀粒子核を形成する工程、（ｂ）該粒子核を熟成して平板粒子核を優先的に残存させる工程、（ｃ）該平板粒子核を平板粒子に成長させる工程を含む製造方法により調製されたハロゲン化銀写真乳剤であることを特徴とする請求項１〜５のいずれかに記載のハロゲン化銀写真乳剤。
【請求項７】
前記請求項１〜６のいずれかに記載のハロゲン化銀写真乳剤を含有するハロゲン化銀写真感光材料。
【手続補正２】
【補正対象書類名】明細書
【補正対象項目名】００１６
【補正方法】変更
【補正の内容】
【００１６】
【課題を解決するための手段】
本発明の課題は鋭意研究を行った結果、下記の（１）、（２）、（３）、（４）、（５）、（５）、（６）、（７）により達成されることを見出した。
（１）分光増感された平均アスペクト比８以上１００以下の平板状ハロゲン化銀粒子を含むハロゲン化銀乳剤であって、該ハロゲン化銀粒子表面の単位面積あたりの増感色素による光吸収強度が１００以上であることを特徴とするハロゲン化銀写真乳剤。
【手続補正３】
【補正対象書類名】明細書
【補正対象項目名】００１８
【補正方法】変更
【補正の内容】
【００１８】
（２）分光吸収極大波長が５００ｎｍ以下で分光増感された平均アスペクト比８以上１００以下の平板状ハロゲン化銀粒子を含むハロゲン化銀乳剤であって、該ハロゲン化銀粒子表面の単位面積あたりの増感色素による光吸収強度が６０以上１００未満であることを特徴とするハロゲン化銀写真乳剤。
ここで単位表面積あたりの増感色素による光吸収強度とは、（１）記載の単位表面積あたりの増感色素による光吸収強度と同意である。


【手続補正４】
【補正対象書類名】明細書
【補正対象項目名】００１９
【補正方法】変更
【補正の内容】
【００１９】
（３）前記ハロゲン化銀乳剤が、核形成工程及び／又は成長工程を行う反応容器の外に混合容器を設け、混合容器に水溶性銀塩の水溶液と水溶性ハロゲン塩の水溶液を供給して混合し、ハロゲン化銀微粒子を形成し、直ちに該微粒子を該反応容器に供給し、該反応容器中でハロゲン化銀粒子の核形成及び／又は成長を行わせることによって調製された平板状粒子乳剤であることを特徴とする（１）または（２）記載のハロゲン化銀写真乳剤。


【手続補正５】
【補正対象書類名】明細書
【補正対象項目名】００２０
【補正方法】変更
【補正の内容】
【００２０】
（４）該混合容器が攪拌対象の該添加液を流入させる所定数の供給口と、攪拌処理を終えて生成したハロゲン化銀微粒子乳剤を排出する排出口とを備えた密閉型攪拌層と、該攪拌槽内で該攪拌槽壁を貫通する回転軸を持たない少なくとも一つの攪拌羽根が回転駆動されることで該攪拌槽内の液体の攪拌状態を制御する攪拌手段とを備えてなることを特徴とする（３）記載のハロゲン化銀写真乳剤。


【手続補正６】
【補正対象書類名】明細書
【補正対象項目名】００２１
【補正方法】変更
【補正の内容】
【００２１】
（５）前記ハロゲン化銀写真乳剤がゼラチン中のアミノ基（−ＮＨ2基）を化学修飾した際に新たにカルボキシル基（−ＣＯＯＨ基）が少なくとも１個以上導入されたゼラチンの存在下で調製されたハロゲン化銀乳剤であることを特徴とする（１）〜（４）のいずれかに記載のハロゲン化銀写真乳剤。


【手続補正７】
【補正対象書類名】明細書
【補正対象項目名】００２２
【補正方法】変更
【補正の内容】
【００２２】
（６）前記ハロゲン化銀写真乳剤が、（ａ）分散媒溶液中で双晶粒子核を含んだハロゲン化銀粒子核を形成する工程、（ｂ）該粒子核を熟成して平板粒子核を優先的に残存させる工程、（ｃ）該平板粒子核を平板粒子に成長させる工程を含む製造方法により調製されたハロゲン化銀写真乳剤であることを特徴とする（１）〜（５）のいずれかに記載のハロゲン化銀写真乳剤。
（７）前記（１）〜（６）のいずれかに記載のハロゲン化銀写真乳剤を含有するハロゲン化銀写真感光材料。
【手続補正８】
【補正対象書類名】明細書
【補正対象項目名】００５２
【補正方法】変更
【補正の内容】
【００５２】
ハロゲン化銀乳剤は、一般に化学増感を行なって使用する。化学増感としてはカルコゲン増感（硫黄増感、セレン増感、テルル増感）、貴金属増感（例、金増感）および還元増感を、それぞれ単独あるいは組み合わせて実施する。
硫黄増感においては、不安定硫黄化合物を増感剤として用いる。不安定硫黄化合物については、P.Glafkides 著 Chemie et Physique Photographique (Paul Montel 社刊、１９８７年、第５版)、Research Disclosure 誌３０７巻３０７１０５号に記載がある。硫黄増感剤の例には、チオ硫酸塩（例、ハイポ）、チオ尿素類（例、ジフェニルチオ尿素、トリエチルチオ尿素、Ｎ−エチル−Ｎ’−（４−メチル−２−チアゾリル）チオ尿素、カルボキシメチルトリメチルチオ尿素）、チオアミド類（例、チオアセトアミド）、ローダニン類（例、ジエチルローダニン、５−ベンジリデン−Ｎ−エチル−ローダニン）、フォスフィンスルフィド類（例、トリメチルフォスフィンスルフィド）、チオヒダントイン類、４−オキソ−オキサゾリジン−２−チオン類、ジポリスルフィド類（例、ジモルフォリンジスルフィド、シスチン、ヘキサチオカン−チオン）、メルカプト化合物（例、システィン）、ポリチオン酢塩および元素状硫黄が含まれる。活性ゼラチンも硫黄増感剤として利用できる。


【手続補正９】
【補正対象書類名】明細書
【補正対象項目名】００７９
【補正方法】変更
【補正の内容】
【００７９】
乳剤１−Ｂ
ヨウ臭化銀平板粒子乳剤
反応容器１に水１．０リットルと低分子量骨ゼラチン（平均分子量２万）３ｇとＫＢｒ０．５ｇを添加して溶解し４０℃に保った溶液中に攪拌しながら、０．５Ｍの硝酸銀溶液を１０ccと０．３ＭＫＢｒ溶液２０ccを４０秒かけて添加した後、０．８ＭのＫＢｒ溶液を２２cc添加した。その後７５℃に温度を上昇させた後、５分間熟成した。石灰処理骨ゼラチンの１０重量％水溶液を３００cc添加した。１．５Ｍの硝酸銀溶液とＫＩを３モル％含む１．５ＭのＫＢ溶液を各々８００ccを６０分かけて添加し、その際反応容器の温度は７５℃に保持した。
粒子成長中、硝酸銀を７０％添加した時点でＩｒＣｌ6を８×１０-8mol／molAg添加しドープした。さらに、粒子成長終了前に黄血塩溶液が反応容器に添加された。黄血塩は粒子のシェル部３％（添加銀量換算で）に局所濃度で３×１０-4mol／molAgの濃度になる様にドープされた。添加終了後、乳剤を３５℃に冷却し、通常のフロキュレイションで水洗し、石灰処理骨ゼラチンを７０ｇ添加、溶解しｐＡｇを８．７、ｐＨを６．５に調製後、冷暗所に保存した。
得られた平板粒子は、円相当径が１．１μｍ、平均厚さが０．１９μｍ、平均アスペクト比が６で、円相当径の変動係数が１５％の単分散平板粒子であった。